(57)【要約】      （修正有）【課題】原稿のセット位置の間違いを防止する。【解決手段】画像形成装置は、少なくとも画像読取部３０およびディスプレイ２２を備える。画像読取部３０は、透明板によって形成される原稿載置台および原稿載置台の上方に取り付けられる原稿押さえカバー３０ａを含む。また、画像読取部３０は、原稿押さえカバー３０ａの開閉状態を検出するための開閉センサ４４を備える。開閉センサ４４が原稿押さえカバー３０ａの開状態を検出すると、ディスプレイ２２には、原稿の置き方を案内する案内画面が表示される。【選択図】図４
2019087788.tif 000002
【特許請求の範囲】
【請求項１】
原稿載置台と、前記原稿載置台に載置された原稿の画像を読み取る読取部と、前記原稿載置台の上面に開閉自在に設けられる原稿押さえカバーと、ディスプレイとを備える画像読取形成装置であって、
前記原稿押さえカバーの開閉状態を検出するカバー検出部、および
前記カバー検出部が前記原稿押さえカバーの開状態を検出すると、前記原稿載置台における前記原稿の置き方を案内する案内画面を前記ディスプレイに表示させる表示制御部を備える、画像読取形成装置。
【請求項２】
前記表示制御部は、前記案内画面を前記ディスプレイに表示させた状態で、前記カバー検出部が前記原稿押さえカバーの閉状態を検出したときに、当該案内画面を非表示にする、請求項１記載の画像読取形成装置。
【請求項３】
前記原稿載置台に載置された前記原稿の有無を検出する原稿検出部をさらに備える、請求項１または２記載の画像読取形成装置。
【請求項４】
前記原稿検出部において前記原稿載置台に前記原稿が有ることが検出された場合に、前記読取部にプレスキャンを実行させて原稿情報を取得する原稿情報取得部をさらに備える、請求項３記載の画像読取形成装置。
【請求項５】
前記原稿情報は、前記原稿がカラー原稿であるかモノクロ原稿であるかについての色情報を含み、
前記色情報に従って、前記原稿が前記モノクロ原稿である場合に、前記カラー原稿に係る設定項目に対する操作を受付けないモノクロ設定モードを設定する第１設定手段をさらに備える、請求項４記載の画像読取形成装置。
【請求項６】
前記原稿情報は、前記原稿が定形サイズの原稿であるか不定形サイズの原稿であるかについてのサイズ情報を含み、
前記サイズ情報に従って、前記原稿が前記不定形サイズの原稿である場合に、前記不定形サイズの原稿を読み取るための不定形モードを設定する第２設定手段をさらに備える、請求項４記載の画像読取形成装置。
【請求項７】
複数の動作モードを有し、
前記表示制御部は、前記原稿検出部において前記原稿載置台に前記原稿が有ることが検出された場合に、前記複数の動作モードの各々に割り当てられた前記複数のアイコンのうち、前記読取部において読み取られた画像を利用する第１種類の動作モードに割り当てられた第１種類のアイコンを含む第１操作画面を前記ディスプレイに表示させる、請求項３ないし６のいずれかに記載の画像読取形成装置。
【請求項８】
原稿載置台と、前記原稿載置台に載置された原稿の画像を読み取る読取部と、前記原稿載置台の上面に開閉自在に設けられる原稿押さえカバーと、ディスプレイとを備える画像読取形成装置の制御プログラムであって、
前記画像読取形成装置のプロセッサを、
前記原稿押さえカバーの開閉状態を検出するカバー検出手段、および
前記カバー検出手段が前記原稿押さえカバーの開状態を検出すると、前記原稿載置台における前記原稿の置き方を案内する案内画面を前記ディスプレイに表示させる表示制御手段として機能させる、制御プログラム。
【請求項９】
原稿載置台と、前記原稿載置台に載置された原稿の画像を読み取る読取部と、前記原稿載置台の上面に開閉自在に設けられる原稿押さえカバーと、ディスプレイとを備える画像読取形成装置のプロセッサが、
前記原稿押さえカバーの開閉状態を検出し、そして
前記原稿押さえカバーの開状態を検出すると、前記原稿載置台における前記原稿の置き方を案内する案内画面を前記ディスプレイに表示させる、制御方法。
【発明の詳細な説明】
【技術分野】
【０００１】
この発明は、画像読取形成装置、制御プログラムおよび制御方法に関し、特にたとえば、原稿載置台に載置された原稿を読み取る、画像読取形成装置、制御プログラムおよび制御方法に関する。
【背景技術】
【０００２】
この種の背景技術の一例が特許文献１に開示される。背景技術の画像読取装置は、原稿がセットされた後に、原稿を読み取って当該原稿の画像読取モードを設定し、設定されたモード内容を判別し、モード内容の判別結果に応じて、給紙位置にセットされる原稿の向きに関する積載方向を案内表示する。
【先行技術文献】
【特許文献】
【０００３】
【特許文献１】特開２００３−３０９７０３号公報
【発明の概要】
【発明が解決しようとする課題】
【０００４】
しかしながら、背景技術の画像読取装置では、最初の原稿を読み取った後に、案内表示が行われるので、案内表示が行われる前に原稿が載置された場合に、原稿のセット位置を間違えてしまう可能性がある。
【０００５】
それゆえに、この発明の主たる目的は、新規な、画像読取形成装置、制御プログラムおよび制御方法を提供することである。
【０００６】
この発明の他の目的は、原稿のセット位置の間違いを防止することができる、画像読取形成装置、制御プログラムおよび制御方法を提供することである。
【課題を解決するための手段】
【０００７】
第１の発明は、原稿載置台と、原稿載置台に載置された原稿の画像を読み取る読取部と、原稿載置台の上面に開閉自在に設けられる原稿押さえカバーと、ディスプレイとを備える画像読取形成装置であって、カバー検出部および表示制御部を備える。カバー検出部は、原稿押さえカバーの開閉状態を検出する。表示制御部は、カバー検出部が原稿押さえカバーの開状態を検出すると、原稿載置台における原稿の置き方を案内する案内画面をディスプレイに表示させる。
【０００８】
第２の発明は、第１の発明に従属する画像読取形成装置であって、表示制御部は、案内画面をディスプレイに表示させた状態で、カバー検出部が原稿押さえカバーの閉状態を検出したときに、当該案内画面を非表示にする。
【０００９】
第３の発明は、第１または第２の発明に従属する画像読取形成装置であって、原稿載置台に載置された原稿の有無を検出する原稿検出部をさらに備える。
【００１０】
第４の発明は、第３の発明に従属する画像読取形成装置であって、原稿検出部において原稿載置台に原稿が有ることが検出された場合に、読取部にプレスキャンを実行させて原稿情報を取得する原稿情報取得部をさらに備える。
【００１１】
第５の発明は、第４の発明に従属する画像読取形成装置であって、原稿情報は、原稿がカラー原稿であるかモノクロ原稿であるかについての色情報を含み、色情報に従って、原稿がモノクロ原稿である場合に、カラー原稿に係る設定項目に対する操作を受付けないモノクロ設定モードを設定する第１設定手段をさらに備える。
【００１２】
第６の発明は、第４の発明に従属する画像読取形成装置であって、原稿情報は、原稿が定形サイズの原稿であるか不定形サイズの原稿であるかについてのサイズ情報を含み、サイズ情報に従って、原稿が不定形サイズの原稿である場合に、不定形サイズの原稿を読み取るための不定形モードを設定する第２設定手段をさらに備える。
【００１３】
第７の発明は、第３ないし第６のいずれかの発明の画像読取形成装置であって、複数の動作モードを有し、表示制御部は、原稿検出部において原稿載置台に原稿が有ることが検出された場合に、複数の動作モードの各々に割り当てられた複数のアイコンのうち、読取部において読み取られた画像を利用する第１種類の動作モードに割り当てられた第１種類のアイコンを含む第１操作画面をディスプレイに表示させる。
【００１４】
第８の発明は、原稿載置台と、原稿載置台に載置された原稿の画像を読み取る読取部と、原稿載置台の上面に開閉自在に設けられる原稿押さえカバーと、ディスプレイとを備える画像読取形成装置の制御プログラムであって、画像読取形成装置のプロセッサを、原稿押さえカバーの開閉状態を検出するカバー検出手段、およびカバー検出手段が原稿押さえカバーの開状態を検出すると、原稿載置台における原稿の置き方を案内する案内画面をディスプレイに表示させる表示制御手段として機能させる。
【００１５】
第９の発明は、原稿載置台と、原稿載置台に載置された原稿の画像を読み取る読取部と、原稿載置台の上面に開閉自在に設けられる原稿押さえカバーとディスプレイとを備える画像読取形成装置のプロセッサが、原稿押さえカバーの開閉状態を検出し、そして原稿押さえカバーの開状態を検出すると、原稿載置台における原稿の置き方を案内する案内画面をディスプレイに表示させる、制御方法である。
【発明の効果】
【００１６】
この発明によれば、原稿のセット位置の間違いを防止することができる。
【００１７】
この発明の上述の目的，その他の目的，特徴および利点は、図面を参照して行う以下の実施例の詳細な説明から一層明らかとなろう。
【図面の簡単な説明】
【００１８】
【図１】図１はこの発明の一実施例である画像形成装置の外観構成を示す斜視図である。
【図２】図２は図１に示す画像形成装置の電気的な構成を示すブロック図である。
【図３】図３（Ａ）は原稿押さえカバーが開状態における開閉センサの一例を示す図解図であり、図３（Ｂ）は原稿押さえカバーが閉状態における開閉センサの一例を示す図解図であり、図３（Ｃ）は開閉センサを上面視した上面図である。
【図４】図４は原稿押さえカバーが開いた状態の画像読取部を示す図解図である。
【図５】図５は原稿押さえカバーが閉じた状態の画像読取部を示す図解図である。
【図６】図６は第１ホーム画面の一例を示す図解図である。
【図７】図７は案内画面の一例を示す図解図である。
【図８】図８は図２に示すＲＡＭのメモリマップの一例を示す図解図である。
【図９】図９は図２に示すＣＰＵの案内処理の一例を示すフロー図である。
【図１０】図１０は第２実施例における第２ホーム画面を示す図解図である。
【図１１】図１１は第２実施例におけるＲＡＭのメモリマップの一例を示す図解図である。
【図１２】図１２は第２実施例の案内処理の一例を示すフロー図である。
【図１３】図１３は第３実施例のカラー用設定画面の一例を示す図解図である。
【図１４】図１４は第３実施例のモノクロ用設定画面の一例を示す図解図である。
【図１５】図１５は第３実施例の案内処理の一例を示すフロー図である。
【図１６】図１６は第３実施例のジョブ設定処理の一例を示すフロー図である。
【図１７】図１７は第４実施例の定形モード用設定画面の一例を示す図解図である。
【図１８】図１８は第４実施例の不定形モード用設定画面の一例を示す図解図である。
【図１９】図１９は第４実施例の案内処理の一例を示すフロー図である。
【図２０】図２０は第４実施例のジョブ設定処理の一例を示すフロー図である。
【発明を実施するための形態】
【００１９】
［第１実施例］
図１はこの発明の一実施例である画像形成装置１０の外観構成を示す正面図である。図１を参照して、第１実施例では、画像形成装置１０は、複写機能、プリンタ機能、スキャナ機能およびファクシミリ機能などを有する複合機（ＭＦＰ：Multifunction Peripheral）である。ただし、この発明は、複合機だけでなく、画像読取装置または画像読取機能（スキャナ機能）を備える任意の画像形成装置（画像読取形成装置）に適用できることを予め指摘しておく。
【００２０】
なお、この明細書では、ユーザの立ち位置に対向する面、つまり後述する操作パネル２６が設けられる側の面を前面（正面）として画像形成装置１０およびその構成部材の前後方向（奥行方向）を規定し、画像形成装置１０およびその構成部材の左右方向（横方向）は、ユーザから画像形成装置１０を見た状態を基準として規定する。
【００２１】
画像形成装置１０は、画像読取部３０、画像形成部３２、手差し給紙部３４、給紙装置３８および排紙トレイ４０を含む装置本体３６を備える。
【００２２】
画像読取部３０は、透明材（透明板）によって形成される原稿載置台（原稿台ガラス）を備え、装置本体３６に内蔵される。原稿台ガラスの上方には、ヒンジ等を介して原稿押さえカバー３０ａが開閉自在に取り付けられる。この原稿押さえカバー３０ａには、手差し給紙部３４が設けられる。また、原稿押さえカバー３０ａには、手差し給紙部３４に載置された原稿を自動的に給紙するＡＤＦ（自動原稿送り装置）が設けられる。ただし、手差し給紙部３４およびＡＤＦは設けられなくてもよい。
【００２３】
また、画像読取部３０は、原稿押さえカバー３０ａの開閉を検出するための開閉センサ４４を備える。開閉センサ４４は、原稿台ガラスよりも背面寄りであり、画像読取部３０を正面から見た場合に、左側に設けられる（図４および図５等参照）。なお、開閉センサ４４の具体的な構成については、後述する。
【００２４】
また、画像読取部３０は、光源、複数のミラー、結像レンズおよびラインセンサ等を備える。この画像読取部３０は、原稿表面を光源によって露光し、原稿表面から反射した反射光を複数のミラーによって結像レンズに導く。そして、結像レンズによって反射光をラインセンサの受光素子に結像させる。ラインセンサでは、受光素子に結像した反射光の輝度または色度が検出され、原稿表面の画像に基づく読取画像データが生成される。ラインセンサとしては、ＣＣＤ（Charge Coupled Device）またはＣＩＳ（Contact Image Sensor）等が用いられる。
【００２５】
画像形成部３２は、装置本体３６に内蔵され、画像読取部３０の下方に設けられる。この画像形成部３２は、感光体ドラム、帯電装置、露光装置、現像装置、転写装置および定着装置などを備える。画像形成部３２は、手差し給紙部３４または給紙装置３８等から搬送される記録媒体（用紙）上に電子写真方式によって画像を形成し、画像形成済みの用紙を排紙トレイ４０に排出する。ただし、用紙上に画像を形成するための画像データとしては、画像読取部３０で読み取った画像データ、または外部コンピュータから送信された画像データ等が利用される。また、記録媒体としては、紙からなる用紙に限定されず、ＯＨＰフィルムなどの紙以外のシートも用いられる。
【００２６】
排紙トレイ４０は、画像読取部３０および画像形成部３２の間に設けられる。排紙トレイ４０の底面は、画像形成部３２によって区画される。また、排紙トレイ４０の天面は、画像読取部３０によって区画される。さらに、排紙トレイ４０の左側面（正面から見た左側面）は、連結筐体４２の右側面で規定される。つまり、排紙トレイ４０の前面側、背面側および左側面側は、開口する。排紙トレイ４０の底面は、連結筐体４２側に向かって下り勾配となる傾斜面を有する。
【００２７】
また、画像読取部３０の前面側には、操作パネル２６が設けられる。操作パネル２６は、タッチパネル２０付きのディスプレイ２２および複数の操作ボタン２６ａを含む。
【００２８】
タッチパネル２０付きのディスプレイ２２には、各種設定または印刷指示などをユーザから受け付けるためのソフトウェアキーおよびメッセージ等が表示される。一例として、ディスプレイ２２には、画像形成装置１０が実行可能な各種のジョブ（機能）から所望のジョブを選択するための画面であるホーム画面および各ジョブの動作条件を設定するための設定画面などの操作画面が表示される。ただし、この第１実施例では、ジョブは、コピー（原稿のスキャンを含む）、印刷およびファックスの送信などを意味する。
【００２９】
操作ボタン２６ａは、ハードウェアキーであって、たとえば、ホームキー、省電力キーおよび主電源キーなどが含まれる。ホームキーは、ホーム画面をディスプレイ２２に表示させるためのキーである。省電力キーは、消費電力が制限される省電力状態（省電力モード）と、消費電力が制限されない通常状態（通常モード）とを切り替えるためのキーである。
【００３０】
なお、ソフトウェアキーとは、たとえばタッチパネル２０付きのディスプレイ２２の表示面上にソフトウェア的に再現されたキー（アイコン）のことを言う。これに対して、ハードウェアキーとは、物理的な装置として設けられたキー（ボタン）のことを言う。
【００３１】
図２は図１に示す画像形成装置１０の電気的な構成を示すブロック図である。図２を参照して、画像形成装置１０はＣＰＵ１２を含む。ＣＰＵ１２には、バス６０を介してＲＡＭ１４、ＨＤＤ２８、タッチパネル制御回路１６、表示制御回路１８、操作ボタン検出回路２４、画像読取部３０、画像形成部３２、通信回路５０および開閉センサ４４が接続される。また、タッチパネル制御回路１６にはタッチパネル２０が接続され、表示制御回路１８にはディスプレイ２２が接続され、操作ボタン検出回路２４には操作ボタン２６ａが接続される。
【００３２】
ＣＰＵ１２は、画像形成装置１０の全体的な制御を司る。ＲＡＭ１４は、ＣＰＵ１２のワーク領域およびバッファ領域として用いられる。
【００３３】
ＨＤＤ２８は、画像形成装置１０の主記憶装置であって、ＣＰＵ１２が画像形成装置１０の各部位の動作を制御するための制御プログラムおよび各種の画面についての表示画像データ等を適宜記憶する。ただし、ＨＤＤ２８に代えて、またはＨＤＤ２８とともに、ＳＳＤ、フラッシュメモリ、ＥＥＰＲＯＭなどの他の不揮発性メモリが用いられてもよい。
【００３４】
タッチパネル制御回路１６は、タッチパネル２０に必要な電圧などを付与するとともに、タッチパネル２０のタッチ有効範囲内でのタッチ操作（タッチ入力）を検出して、そのタッチ入力の位置を示すタッチ座標データをＣＰＵ１２に出力する。
【００３５】
タッチパネル２０は、汎用のタッチパネルであり、静電容量方式、電磁誘導方式、抵抗膜方式、赤外線方式など、任意の方式のものを用いることができる。この第１実施例では、タッチパネル２０としては、静電容量方式のタッチパネルが用いられ、ディスプレイ２２の表示面上にタッチパネル２０が設けられる。ただし、タッチパネル２０とディスプレイ２２とが一体的に形成されたタッチパネルディスプレイが用いられてもよい。
【００３６】
表示制御回路１８は、ＧＰＵおよびＶＲＡＭなどを含んでおり、ＣＰＵ１２の指示の下、ＧＰＵは、ＲＡＭ１４に記憶された画像生成データを用いてディスプレイ２２に種々の画面を表示するための表示画像データをＶＲＡＭに生成し、生成した表示画像データをディスプレイ２２に出力する。ディスプレイ２２としては、たとえばＬＣＤまたはＥＬ（Electro-Luminescence）ディスプレイなどを用いることができる。
【００３７】
操作ボタン検出回路２４は、上述した操作ボタン２６ａの操作に応じた操作信号ないし操作データをＣＰＵ１２に出力する。
【００３８】
通信回路５０は、インターネットなどのネットワークに接続するための通信回路である。この通信回路５０は、有線通信回路または無線通信回路であり、ＣＰＵ１２からの指示に従って、ネットワークを介して、サーバ等の外部コンピュータと通信する。
【００３９】
開閉センサ４４は、上述したように、原稿押さえカバー３０ａの開閉状態を検出するためのセンサであり、アクチュエータ４４ａと光学センサ４４ｂによって構成される。ただし、この第１実施例では、開閉センサ４４の出力に基づいて、原稿押さえカバー３０ａが開いた状態（開状態）であるか、閉じた状態（閉状態）であるかが検出される。
【００４０】
図３（Ａ）、図３（Ｂ）および図３（Ｃ）は開閉センサ４４の構成を示す概略図である。図４は原稿押さえカバー３０ａが開状態における画像読取部３０を示す図解図であり、図５は原稿押さえカバー３０ａが閉状態における画像読取部３０を示す図解図である。
【００４１】
アクチュエータ４４ａは、上下方向に移動可能にされており、図示しない付勢部材によって上向きに付勢されている。また、アクチュエータ４４ａの上端部は、原稿押さえカバー３０ａの下面に当接する。このため、図３（Ａ）および図３（Ｂ）に示すように、アクチュエータ４４ａは、原稿押さえカバー３０ａの開閉に応じて、上下に移動される。また、図３（Ｃ）に示すように、光学センサ４４ｂは、上面視で（アクチュエータ４４ａの移動方向の上方から見て）Ｕの字を時計回りに９０度回転させた形状に形成され、対向する二つの辺のうち、一方の辺側に発光部４４０が設けられ、他方の辺側に受光部４４２が設けられる。
【００４２】
図４に示すように、原稿押さえカバー３０ａが開かれた状態（開状態）では、原稿押さえカバー３０ａの下面が上方に移動するに連れて、アクチュエータ４４ａは上方に移動される。したがって、図３（Ａ）に示すように、光学センサ４４ｂの発光部４４０から出力される光は受光部４４２で受光される。この第１実施例では、原稿押さえカバー３０ａが閉じられたかどうかを判断するため、開状態における受光部４４２の受光量が予め測定されている。
【００４３】
一方、図５に示すように、原稿押さえカバー３０ａが閉じられた状態（閉状態）では、原稿押さえカバー３０ａの下面が下方に移動するに連れて、アクチュエータ４４ａが当該原稿押さえカバー３０ａによって下方に押下げられる。したがって、図３（Ｂ）に示すように、光学センサ４４ｂの発光部４４０から出力される光はアクチュエータ４４ａで遮られ、受光部４４２で受光されない、または、受光量が低減する。
【００４４】
ただし、アクチュエータ４４ａが移動されることにより、発光部４４０から出力される光が受光部４４２で受光される受光量が変化する。このため、原稿押さえカバー３０ａが開状態にされた後に、受光量が減少し始め、受光量が所定量以下になると、原稿押さえカバー３０ａが閉状態にされたことが検出される。
【００４５】
なお、図２に示す画像形成装置１０の電気的な構成は単なる一例であり、これに限定される必要はない。たとえば、各種の記録媒体（ＳＤカードまたはＵＳＢメモリなど）を装着可能な接続部（メモリスロットなど）などを備えても良い。
【００４６】
このような構成の画像形成装置１０では、ディスプレイ２２に種々の操作画面を表示し、タッチパネル２０へのタッチ入力に応じてユーザ操作を受け付ける。たとえば、操作画面としては、画像形成装置１０が実行可能な各種のジョブについての設定画面がディスプレイ２２に表示される。この設定画面において、具体的なジョブの設定（ジョブ設定）が行われ、画像形成装置１０で各機能が実行される。ここで、従来の画像形成装置では、ユーザによって設定されたジョブ設定に応じて、原稿台ガラスにセットされる原稿の位置および向きに関する積載方向等が案内表示されることがある。
【００４７】
しかしながら、従来の画像形成装置では、ジョブ設定が行われた後に案内表示が行われるので、ジョブ設定が行われる前に原稿が載置される場合には案内表示が行われない。このため、ユーザが原稿のセット位置を間違えてしまう可能性がある。
【００４８】
そこで、この第１実施例では、原稿押さえカバー３０ａが開状態であるときに、原稿の置き方を案内する案内画面をディスプレイ２２に表示させるようにした。
【００４９】
以下、図６および図７を参照して画像形成装置１０の動作例を説明する。図６は第１ホーム画面１００の一例を示す図解図である。図７は案内画面１２０の一例を示す図解図である。
【００５０】
画像形成装置１０の主電源がオンされて、各ジョブを実行可能な待機状態にある場合、画像形成装置１０のディスプレイ２２には、図６に示すような第１ホーム画面１００が表示される。第１ホーム画面１００は、各種のジョブを選択するための画面である。この第１ホーム画面１００には、各ジョブを選択するための複数のアイコン１０２が表示される。ただし、第１ホーム画面１００で選択可能なジョブは、コピー、スキャン、スマホからプリント、記録メディアからプリント、ネットワークプリント、写真サービス、行政サービスおよびファクスの送信などである。
【００５１】
複数のアイコン１０２の各々は、略矩形状の枠で囲まれた画像であり、ソフトウェアキーとして機能する。複数のアイコン１０２の各々には、“コピー”、“スキャン”、“ファクス”、“記録メディアからプリント”、“ネットワークプリント”、“写真サービス”，“行政サービス”および“スマホからプリント”等のジョブが割り当てられている。
【００５２】
ここで、第１ホーム画面１００が表示されている状態で、原稿押さえカバー３０ａが開状態にされると、ディスプレイ２２には、原稿の置き方を案内する案内画面１２０が表示される。つまり、開閉センサ４４の出力に基づいて、原稿押さえカバー３０ａの開状態が検出されると、案内画面１２０が表示される。
【００５３】
図７に示すように、案内画面１２０には、ユーザに原稿の置き方を案内する旨のメッセージ１２２、矩形状の動画像表示領域１２４、完了アイコン１２６および閉じるアイコン１２８が表示される。
【００５４】
たとえば、案内画面１２０には、「原稿は横向きに置いてください。」というような、メッセージ１２２が表示される。
【００５５】
動画像表示領域１２４には、原稿のセット方法を示す動画像が表示される。具体的には、動画像表示領域１２４には、原稿の向きおよび位置（左奥の角）を示す動画像が表示される。ただし、動画像は、完了アイコン１２６または閉じるアイコン１２８がタッチ（選択）されるまで繰り返し再生（表示）される。
【００５６】
メッセージ１２２および動画像表示領域１２４に表示される動画像によって、原稿の置き方がユーザに提示される。このため、ユーザは、案内画面１２０に表示される原稿の置き方を参照しながら、原稿を原稿台ガラス上に適切に載置することができる。
【００５７】
完了アイコン１２６および閉じるアイコン１２８は、案内画面１２０を閉じる機能が割り当てられたアイコンである。完了アイコン１２６または閉じるアイコン１２８がタッチされると、案内画面１２０が閉じられて（非表示にされて）図６に示すような第１ホーム画面１００がディスプレイ２２に表示される。
【００５８】
また、案内画面１２０が表示されている状態で、原稿押さえカバー３０ａが閉状態にされると、案内画面１２０が閉じられて、第１ホーム画面１００がディスプレイ２２に表示される。
【００５９】
画像形成装置１０の上記のような動作は、ＣＰＵ１２がＲＡＭ１４に記憶された情報処理プログラムを実行することによって実現される。具体的な処理については、後でフロー図を用いて説明する。
【００６０】
図８は図２に示す画像形成装置１０のＲＡＭ１４のメモリマップ７０の一例を示す図解図である。図８に示すように、ＲＡＭ１４は、プログラム記憶領域７２およびデータ記憶領域７４を含む。プログラム記憶領域７２には、上述したように、情報処理プログラムが記憶される。この情報処理プログラムは、通信プログラム７２ａ、操作検出プログラム７２ｂ、表示プログラム７２ｃ、開閉検出プログラム７２ｄ、画像読取プログラム７２ｅおよび画像形成プログラム７２ｆを含む。
【００６１】
通信プログラム７２ａは、通信回路５０を介して、外部のコンピュータ等と通信するためのプログラムである。
【００６２】
操作検出プログラム７２ｂは、画像形成装置１０の各部への操作を検出するためのプログラムである。たとえば、操作検出プログラム７２ｂは、タッチパネル２０から出力されたタッチ座標データを取得して、ディスプレイ２２に表示される各種の画面に含まれるソフトウェアキーが操作されたことを検出するためのプログラムである。また、操作検出プログラム７２ｂは、操作ボタン２６ａからの操作入力を検出するためのプログラムでもある。
【００６３】
表示プログラム７２ｃは、後述する画像生成データ７４ｂを用いて、第１ホーム画面１００などのディスプレイ２２に表示する各種の画面に対応する表示画像データを生成し、ディスプレイ２２に出力するためのプログラムである。また、表示プログラム７２ｃは、原稿押さえカバー３０ａが開状態であることが検出された場合に、画像生成データ７４ｂを用いて、案内画面１２０に対応する表示画像データを生成し、ディスプレイ２２に出力するためのプログラムでもある。
【００６４】
開閉検出プログラム７２ｄは、原稿押さえカバー３０ａの開閉状態を検出するためのプログラムである。具体的には、開閉検出プログラム７２ｄは、開閉センサ４４の出力に応じて、原稿押さえカバー３０ａが開状態であるか、または閉状態であるかどうかを判断（検出）するためのプログラムである。
【００６５】
画像読取プログラム７２ｅは、画像読取部３０を制御して、原稿台ガラスに載置された原稿の画像を読み取り（スキャンし）、読み取った画像に対応する画像信号（スキャン画像データ）を出力するためのプログラムである。
【００６６】
画像形成プログラム７２ｆは、画像形成部３２を制御して、スキャン画像データなどの画像データに応じて多色または単色の画像を記録媒体（用紙）に形成するためのプログラムである。
【００６７】
なお、図示は省略するが、プログラム記憶領域７２には、画像形成装置１０が備える各種の機能を選択および実行するためのプログラムなども記憶される。
【００６８】
また、ＲＡＭ１４のデータ記憶領域７４には、操作入力データ７４ａ、画像生成データ７４ｂおよび画像データ７４ｃなどが記憶される。
【００６９】
操作入力データ７４ａは、たとえば操作検出プログラム７２ｂに従って検出（取得）された操作データまたは／およびタッチ座標データである。検出された操作データまたは／およびタッチ座標データは、時系列に従って記憶される。
【００７０】
画像生成データ７４ｂは、ディスプレイ２２に表示される、第１ホーム画面１００および案内画面１２０などの各種の画面に対応する表示画像データを生成するためのポリゴンデータまたはテクスチャデータ等のデータである。また、画像生成データ７４ｂには、ソフトウェアキーの画像データ等も含まれる。
【００７１】
画像データ７４ｃは、画像読取部３０で読み取ったスキャン画像データまたは外部のコンピュータから入力される画像データなどである。
【００７２】
なお、図示は省略するが、データ記憶領域７４には、情報処理プログラムの実行に必要な他のデータが記憶されたり、情報処理プログラムの実行に必要なタイマ（カウンタ）やレジスタが設けられたりする。
【００７３】
図９は図２に示す画像形成装置１０のＣＰＵ１２の案内処理の一例を示すフロー図である。この案内処理は、画像形成装置１０の電源がオンされたり、省電力モードから復帰されたりすると開始される。なお、案内処理は、各ジョブの動作条件を設定したり、各ジョブを実行したりする等の、画像形成装置１０が備える各種の機能を実行するための情報処理と並行して実行される。図９に示すように、案内処理が開始されると、ＣＰＵ１２は、ステップＳ１で、第１ホーム画面１００をディスプレイ２２に表示して、ステップＳ３で、原稿押さえカバー３０ａが開かれたかどうかを判断する。ここでは、開閉センサ４４の出力に基づいて、原稿押さえカバー３０ａが開状態であるかどうかを判断する。
【００７４】
ステップＳ３で“ＮＯ”であれば、つまり、原稿押さえカバー３０ａが開状態でない（閉じられている）場合は、後述するステップＳ１１に進む。一方、ステップＳ３で“ＹＥＳ”であれば、つまり、原稿押さえカバー３０ａが開状態である場合は、ステップＳ５で、案内画面１２０をディスプレイ２２に表示して、ステップＳ７で、原稿押さえカバー３０ａが閉じられたかどうかを判断する。ここでは、開閉センサ４４の出力に基づいて、原稿押さえカバー３０ａが閉状態であるかどうかを判断する。
【００７５】
ステップＳ７で“ＮＯ”であれば、つまり、原稿押さえカバー３０ａが閉じられない（開かれている）場合は、ステップＳ９で、原稿のセットが完了したかどうかを判断する。ここでは、完了アイコン１２６がタッチされたかどうかを判断する。ステップＳ９で“ＮＯ”であれば、つまり、原稿のセットが完了していない場合は、ステップＳ７に戻る。一方、ステップＳ９で“ＹＥＳ”であれば、つまり、原稿のセットが完了した場合は、ステップＳ１１に進む。
【００７６】
また、ステップＳ７で“ＹＥＳ”であれば、つまり、原稿押さえカバー３０ａが閉じられた場合は、ステップＳ１１に進む。
【００７７】
続いて、ステップＳ１１で、第１ホーム画面１００をディスプレイ２２に表示して、ステップＳ１１に進み、ステップＳ１３で、案内処理を終了するかどうかを判断する。ここでは、画像形成装置１０の電源がオフされたり、省電力モードに遷移したりするかどうかを判断する。ステップＳ１３で“ＮＯ”であれば、つまり、案内処理を終了しない場合は、上述したステップＳ３に戻る。一方、ステップＳ１３で“ＹＥＳ”であれば、案内処理を終了する。
【００７８】
この第１実施例によれば、原稿押さえカバー３０ａが開状態であるときに、原稿の置き方を案内する案内画面１２０をディスプレイ２２に表示させるようにしたので、ユーザは、案内画面１２０を参照しながら、正しい位置に原稿をセットすることができる。このため、第１実施例によれば、原稿のセット位置の間違いを防止することができる。
【００７９】
また、第１実施例によれば、原稿押さえカバー３０ａが閉状態にされると、案内画面１２０が閉じられるので、第１ホーム画面１００で各種のジョブを選択したり、他の操作画面で各ジョブの動作条件を設定したりすることができる。
【００８０】
さらに、第１実施例によれば、案内画面１２０には完了アイコン１２６が設けられ、完了アイコン１２６がタッチされると、案内画面１２０が閉じられるので、第１ホーム画面１００で各種のジョブを選択したり、他の操作画面で各ジョブの動作条件を設定したりすることができる。
［第２実施例］
第２実施例の画像形成装置１０では、原稿押さえカバー３０ａが開閉され、原稿台ガラス上に原稿が存在する場合に、第１ホーム画面１００に代えて第２ホーム画面１４０をディスプレイ２２に表示するようにした以外は第１実施例と同じであるため、第１実施例と異なる内容について説明し、重複した説明については省略することにする。
【００８１】
第２実施例では、原稿押さえカバー３０ａが開状態にされた後に、原稿押さえカバー３０ａが閉状態にされると、当該原稿の存在の有無が検出される。具体的な原稿の存在の検出方法は、以下の通りである。
【００８２】
第１の検出方法としては、原稿押さえカバー３０ａが開閉された場合に、原稿のスキャン（本スキャン）に先立ち、プレスキャンを実行し、ラインセンサの受光素子に結像された反射光の輝度または色度に応じて、原稿台ガラス上に原稿が存在するかどうかを判断する方法がある。
【００８３】
また、第２の検出方法としては、画像読取部３０に、専用の原稿検出センサを設け、この原稿検出センサの出力に応じて、原稿台ガラス上に原稿が存在するかどうかを判断する方法がある。原稿検出センサとしては、反射型の光電センサまたは透過型の光電センサを用いることができる。たとえば、原稿検出センサは、原稿台ガラスの左奥の角付近等の、原稿のセット位置に設けられる。
【００８４】
さらに、第３の検出方法としては、原稿押さえカバー３０ａが開閉されたことによって、原稿台ガラス上に原稿が存在すると判断する方法がある。この場合、原稿押さえカバー３０ａが開状態にされた後に、原稿押さえカバー３０ａが閉状態にされた場合に、原稿台ガラス上に原稿が載置されたと推定して、原稿台ガラス上に原稿が存在すると判断する。
【００８５】
図１０は第２実施例における第２ホーム画面１４０を示す図解図である。以上のような方法で、原稿の存在が検出されると、案内画面１２０が閉じられたときに、第１ホーム画面１００に代えて、図１０に示すような第２ホーム画面（第１操作画面に相当）１４０がディスプレイ２２に表示される。
【００８６】
第２ホーム画面１４０は、第１ホーム画面１００と同様に、各種のジョブを選択するための操作画面である。ただし、第２ホーム画面１４０には、原稿を利用するジョブ（第１種類の動作モードに相当）に対応するアイコン１４２のみが表示される。たとえば、第２ホーム画面１４０には、コピー、スキャン、およびファクスの送信を選択するためのアイコン１４２（第１種類のアイコンに相当）のみが表示される。一方、第２ホーム画面１４０には、第１ホーム画面１００で選択可能であった、スマホからプリント、記録メディアからプリント、ネットワークプリント、写真サービスおよび行政サービスなどのジョブに対応するアイコンは表示されない。つまり、第２ホーム画面１４０では、原稿を利用するジョブのみを選択することが可能である。
【００８７】
図１１は、第２実施例のＲＡＭ１４のメモリマップ７０の一例を示す図解図である。図４に示すように、ＲＡＭ１４のプログラム記憶領域７２には、上述したように、情報処理プログラムが記憶される。この情報処理プログラムは、通信プログラム７２ａ、操作検出プログラム７２ｂ、表示プログラム７２ｃ、開閉検出プログラム７２ｄ、画像読取プログラム７２ｅ、画像形成プログラム７２ｆおよび原稿検出プログラム７２ｇを含む。なお、通信プログラム７２ａ、操作検出プログラム７２ｂ、表示プログラム７２ｃ、開閉検出プログラム７２ｄ、画像読取プログラム７２ｅおよび画像形成プログラム７２ｆは、第１実施例と同じであるので説明を省略する。
【００８８】
原稿検出プログラム７２ｇは、上述したような方法で、原稿台ガラス上に載置された原稿を検出するためのプログラムである。
【００８９】
また、ＲＡＭ１４のデータ記憶領域７４には、第１実施例と同様に、操作入力データ７４ａ、画像生成データ７４ｂ、画像データ７４ｃが記憶される。
【００９０】
図１２は、第２実施例の画像形成装置１０のＣＰＵ１２の案内処理の一例を示すフロー図である。以下、フロー図を用いて、第２実施例における画像形成装置１０の案内処理について説明するが、第１実施例で説明した案内処理と同じ処理については同じ参照符号を付し、重複した内容については、説明を省略するまたは簡単に説明することにする。
【００９１】
図１２に示すように、案内処理が開始されると、ＣＰＵ１２は、ステップＳ７で“ＹＥＳ”であれば、ステップＳ３１に進む。また、ステップＳ９で“ＹＥＳ”であれば、ステップＳ３１に進む。ステップＳ３１では、原稿台ガラス上に原稿が存在するかどうかを判断する。
【００９２】
ステップＳ３１で“ＮＯ”であれば、つまり、原稿台ガラス上に原稿が存在しない場合は、ステップＳ１１に進む。一方、ステップＳ３１で“ＹＥＳ”であれば、つまり、原稿台ガラス上に原稿が存在する場合は、ステップＳ３３で、第２ホーム画面１４０をディスプレイ２２に表示して、ステップＳ１３に進む。
【００９３】
なお、ステップＳ９までの処理およびステップＳ１１以降の処理の内容については、第１実施例と同じであるので説明を省略する。
【００９４】
この第２実施例によれば、原稿押さえカバー３０ａが開閉され、原稿台ガラス上に原稿が存在する場合に、原稿を利用するジョブのみを選択することが可能な第２ホーム画面１４０がディスプレイ２２に表示されるので、ユーザがジョブを選択しやすくなるとともに、誤操作を防止することができる。
【００９５】
なお、第２実施例では、第２ホーム画面１４０は、原稿押さえカバー３０ａが開閉された場合のみ表示される。このため、原稿台ガラス上に忘れ物の原稿があった場合には、第１ホーム画面１００に代えて第２ホーム画面１４０が表示されることは無い。この場合、原稿の忘れ物をユーザに報知するための報知画面がディスプレイ２２に表示されるようにしてもよい。
［第３実施例］
第３実施例の画像形成装置１０では、原稿押さえカバー３０ａが開閉された場合に、プレスキャンを実行して原稿情報を取得し、取得した原稿情報に応じて、各ジョブの動作条件を設定するための設定画面の内容を変更するようにした以外は第１実施例と同じであるため、第１実施例と異なる内容について説明し、重複した説明については省略することにする。
【００９６】
図１３は第３実施例のカラー用設定画面１６０の一例を示す図解図である。図１４は第３実施例のモノクロ用設定画面１８０の一例を示す図解図である。
【００９７】
まず、第３実施例の画像形成装置１０では、原稿押さえカバー３０ａが開閉された場合に、プレスキャンが実行され、原稿台ガラス上の原稿から、その原稿情報が取得される。この原稿情報には、その原稿がカラー原稿であるかモノクロ原稿であるかについてのカラー情報（色情報）が含まれる。
【００９８】
なお、原稿がカラー原稿であるかモノクロ原稿であるかについての判定方法については、本出願人による特開２０１１−０１５１７２号公報に記載されているので、参照されたい。
【００９９】
次に、取得されたカラー情報に従って、ジョブの設定条件が設定（ジョブ設定）される際のモードが設定される。原稿がカラー原稿である場合には、カラー原稿に係る設定項目に対する操作を受付ける通常（カラー）モードが設定される。一方、原稿がモノクロ原稿である場合には、カラー原稿に係る設定項目に対する操作を受付けないモノクロモードが設定される。
【０１００】
第１ホーム画面１００に含まれるアイコン１０２がタッチされると（ジョブが選択されると）、ディスプレイ２２には、アイコン１０２に割り当てられたジョブの設定を行うための設定画面が順次ディスプレイ２２に表示される。ただし、通常モードが設定された場合と、モノクロモードが設定された場合とでは、異なる設定画面が表示される。以下、コピージョブが選択された場合を例に挙げて説明する。
【０１０１】
たとえば、通常モードが設定された場合には、第１ホーム画面１００でコピージョブが選択されると、図１３に示すように、コピージョブについての設定を行うためのカラー用設定画面１６０がディスプレイ２２に表示される。
【０１０２】
カラー用設定画面１６０は、閉じるアイコン１６２、モノクロ設定領域１６４およびカラー設定領域１６６を含む。閉じるアイコン１６２には、カラー用設定画面１６０を閉じる機能が割り当てられる。閉じるアイコン１６２がタッチされると、カラー用設定画面１６０が閉じられて（非表示にされて）第１ホーム画面１００がディスプレイ２２に表示される。また、閉じるアイコン１６２がタッチされると、コピージョブについての設定が初期化される。これらのことは、後述する閉じるアイコン１８２、２０２、２２２も同様である。
【０１０３】
モノクロ設定領域１６４は、モノクロ（白黒）コピーにおいて、片面コピー／両面コピーの設定を行うための領域である。モノクロ設定領域１６４は、片面コピーの設定が割り当てられた片面用アイコン１６４ａおよび両面コピーの設定が割り当てられた両面用アイコン１６４ｂを含む。
【０１０４】
カラー設定領域１６６は、カラーコピーにおいて、片面コピー／両面コピーの設定を行うための領域である。カラー設定領域１６６は、片面コピーの設定が割り当てられた片面用アイコン１６６ａおよび両面コピーの設定が割り当てられた両面用アイコン１６６ｂを含む。
【０１０５】
このカラー用設定画面１６０では、片面用アイコン１６４ａ、両面用アイコン１６４ｂ、片面用アイコン１６６ａおよび両面用アイコン１６６ｂのいずれかがタッチされることによって、コピージョブの設定（白黒コピー／カラーコピーの設定および片面コピー／両面コピーの設定）が決定される。このように、カラー用設定画面１６０では、モノクロコピーを選択することもできるし、カラーコピーを選択することもできる。
【０１０６】
一方、モノクロモードが設定された場合には、第１ホーム画面１００でコピージョブが割り当てられたアイコン１０２がタッチされると、図１４に示すように、コピージョブについての設定を行うためのモノクロ用設定画面１８０がディスプレイ２２に表示される。
【０１０７】
モノクロ用設定画面１８０は、閉じるアイコン１８２、モノクロ設定領域１８４およびカラー設定領域１８６を含む。
【０１０８】
モノクロ設定領域１８４は、上述したカラー用設定画面１６０のモノクロ設定領域１６４に対応し、片面用アイコン１８４ａおよび両面用アイコン１８４ｂを含む。また、カラー設定領域１８６は、上述したカラー用設定画面１６０のカラー設定領域１６６に対応し、片面用アイコン１８６ａおよび両面用アイコン１８６ｂを含む。ただし、モノクロ用設定画面１８０では、カラー設定領域１８６は、無効化されている。このため、片面用アイコン１８６ａおよび両面用アイコン１８６ｂは、選択できない。したがって、モノクロ用設定画面１８０では、モノクロコピーを選択することはできるが、カラーコピーを選択することはできない。
【０１０９】
そして、コピージョブの設定が完了するまで、コピージョブのための複数の設定画面がディスプレイ２２に順次表示され、ユーザ操作に応じてコピージョブの設定が決定される。コピージョブの設定が決定されると、そのコピージョブの設定に従って、コピージョブが実行される。
【０１１０】
以下、フロー図を用いて、第３実施例における案内処理について説明するが、第１実施例で説明した案内処理と同じ処理については同じ参照符号を付し、重複した内容については、説明を省略するまたは簡単に説明することにする。
【０１１１】
図１５は第３実施例における案内処理の一例を示すフロー図である。図１５に示すように、案内処理が開始されると、ＣＰＵ１２は、ステップＳ７で“ＹＥＳ”であれば、ステップＳ５１に進む。また、ステップＳ９で“ＹＥＳ”であれば、ステップＳ５１に進む。
【０１１２】
ステップＳ５１では、プレスキャンを実行して、ステップＳ５３で、原稿情報を取得する。ここでは、原稿情報として、原稿がカラー原稿であるかモノクロ原稿であるかについてのカラー情報を取得する。
【０１１３】
続いて、ステップＳ５５で、カラー情報に従って原稿がモノクロ原稿であるかどうかを判断する。ステップＳ５５で“ＹＥＳ”であれば、つまり、原稿がモノクロ原稿であると判断した場合は、ステップＳ５７で、モノクロモードを設定して、ステップＳ１１に進む。一方、ステップＳ５５で“ＮＯ”であれば、つまり、原稿がモノクロ原稿でないと判断した場合（原稿がカラー原稿であると判断した場合）は、ステップＳ５９で、通常モードを設定して、ステップＳ１１に進む。
【０１１４】
なお、ステップＳ９までの処理およびステップＳ１１以降の処理の内容については、第１実施例と同じであるので説明を省略する。
【０１１５】
次に、ジョブ設定処理について説明する。図１６は第３実施例のジョブ設定処理の一例を示すフロー図である。このジョブ設定処理は、第１ホーム画面１００に含まれるアイコン１０２がタッチされたときに開始される。つまり、ジョブ設定処理は、ジョブが選択されたときに開始される。
【０１１６】
図１６に示すように、ＣＰＵ１２は、ジョブ設定処理を開始すると、ステップＳ７１で、モノクロモードが設定されているかどうかを判断する。ステップＳ７１で“ＹＥＳ”であれば、つまり、モノクロモードが設定されていると判断した場合は、ステップＳ７３で、モノクロモード用の設定画面をディスプレイ２２に表示して、ステップＳ７７に進む。ステップＳ７３では、たとえば上述したモノクロ用設定画面１８０等がディスプレイ２２に表示される。
【０１１７】
一方、ステップＳ７１で“ＮＯ”であれば、つまり、モノクロモードが設定されていないと判断した場合（通常モードが設定されていると判断した場合）は、ステップＳ７５で、通常モード用の設定画面をディスプレイ２２に表示して、ステップＳ７７に進む。ステップＳ７５では、たとえば上述したカラー用設定画面１６０等がディスプレイ２２に表示される。
【０１１８】
続いて、ステップＳ７７で、ジョブの設定が終了したかどうかを判断する。ここでは、選択されたジョブについての設定が決定されたかどうかを判断する。ステップＳ７７で“ＮＯ”であれば、つまり、ジョブの設定が終了していないと判断した場合は、同じステップＳ７７に戻る。一方、ステップＳ７７で“ＹＥＳ”であれば、つまり、ジョブの設定が終了したと判断した場合は、ステップＳ７９で、ジョブを実行して、ジョブ設定処理を終了する。
【０１１９】
この第３実施例によれば、原稿押さえカバー３０ａが開閉された場合に、プレスキャンを実行し、プレスキャンによって取得された原稿情報に応じて、各ジョブの動作条件を設定するための設定画面の内容を変更するので、原稿の内容に合わせて、適切な設定画面をユーザに提示することができる。
【０１２０】
また、第３実施例によれば、プレスキャンによって取得されたカラー情報に従って、原稿がモノクロ原稿である場合には、カラー原稿に係る設定項目に対する操作を受付けないモノクロモードが設定されるので、誤操作を防止することができる。
【０１２１】
なお、第３実施例に示した態様は、第２実施例にも組み合わせて採用することが可能である。
［第４実施例］
第４実施例の画像形成装置１０では、原稿押さえカバー３０ａが開閉された場合に、プレスキャンを実行して原稿のサイズ情報を取得し、取得した原稿のサイズ情報に応じて、各ジョブの動作条件を設定するための設定画面の内容を変更するようにした以外は第１実施例と同じであるため、第１実施例と異なる内容について説明し、重複した説明については省略することにする。
【０１２２】
図１７は第４実施例の定形モード用設定画面２００の一例を示す図解図である。図１８は第４実施例の不定形モード用設定画面２２０の一例を示す図解図である。
【０１２３】
まず、第４実施例の画像形成装置１０では、原稿押さえカバー３０ａが開閉された場合に、プレスキャンが実行され、原稿台ガラス上の原稿から、その原稿情報が取得される。この原稿情報には、その原稿が定形サイズの原稿であるか不定形サイズの原稿であるかについての原稿のサイズ情報が含まれる。
【０１２４】
なお、プレスキャンを実行することにより、原稿のサイズ情報を取得する方法については、本出願人による特開２０１０−１４１８５７号公報に記載されているので、参照されたい。そして、画像形成装置１０は、検出された原稿のサイズと定型のサイズとを比較して、定形サイズの原稿であるか不定形サイズの原稿であるかを判定し、サイズ情報を取得する。
【０１２５】
次に、取得されたサイズ情報に従って、定形サイズの原稿である場合には、通常の設定画面（操作画面）が表示される定形モードが設定される。一方、不定形サイズの原稿である場合には、原稿のサイズが設定し易いように構成された設定画面が表示される不定形モードが設定される。
【０１２６】
第１ホーム画面１００でジョブが選択されると、選択されたジョブの設定を行うための設定画面が順次ディスプレイ２２に表示される。ただし、定形モードが設定された場合と、不定形モードが設定された場合とでは、異なる設定画面が表示される。以下、コピージョブが選択された場合を例に挙げて説明する。
【０１２７】
たとえば、定形モードが設定された場合には、第１ホーム画面１００でコピージョブが選択されると、図１７に示すように、定形モード用設定画面２００がディスプレイ２２に表示される。
【０１２８】
定形モード用設定画面２００は、原稿サイズおよびコピー倍率についての設定を行うための画面であり、閉じるアイコン２０２、コピー倍率設定領域２０４、原稿サイズ設定領域２０６およびＯＫアイコン２０８を含む。
【０１２９】
コピー倍率設定領域２０４は、コピー後の倍率（コピー倍率）についての設定を行うための領域であり、定形モード用設定画面２００の左側（左端）に配置される。たとえば、コピー倍率設定領域２０４には、コピー倍率に対応する数値が入力されるテキストボックス、印刷用紙に合わせたコピー倍率に対応するアイコンおよび予め設定された倍率に対応するアイコンが設けられる。このため、ユーザは、テキストボックスに数値を入力したり、アイコンを選択したりして、コピー倍率を設定することができる。
【０１３０】
原稿サイズ設定領域２０６は、原稿サイズについての設定を行うための領域であり、定形モード用設定画面２００の右側（右端）に配置される。原稿サイズ設定領域２０６には、原稿サイズを入力するための入力用アイコン２０６ａが設けられる。入力用アイコン２０６ａがタッチされると、原稿サイズを入力するための入力画面が表示され、ユーザ操作に応じて原稿サイズが設定される。
【０１３１】
ＯＫアイコン２０８は、原稿サイズおよびコピー倍率についての設定を確定させて、次の設定画面を表示させる機能が割り当てられる。このことは、後述する閉じるＯＫアイコン２２８も同様である。
【０１３２】
一方、不定形モードが設定された場合には、第１ホーム画面１００でコピージョブが選択されると、図１８に示すように、不定形モード用設定画面２２０がディスプレイ２２に表示される。
【０１３３】
不定形モード用設定画面２２０は、閉じるアイコン２２２、コピー倍率設定領域２２４、原稿サイズ設定領域２２６およびＯＫアイコン２２８を含む。コピー倍率設定領域２２４は、上述した定形モード用設定画面２００のコピー倍率設定領域２０４に対応する。また、原稿サイズ設定領域２２６は、上述した定形モード用設定画面２００の原稿サイズ設定領域２０６に対応する。
【０１３４】
ただし、コピー倍率設定領域２２４は、定形モード用設定画面２００の右側（右端）に配置され、原稿サイズ設定領域２２６は、不定形モード用設定画面２２０の左側（左端）に配置される。原稿サイズ設定領域２２６が左側に配置されるのは、原稿サイズ設定領域２２６を目立ちやすくするためである。
【０１３５】
また、原稿サイズ設定領域２２６の入力用アイコン２２６ａには、吹き出し画像２２６ｂが設けられる。吹き出し画像２２６ｂには、「お勧め機能」というメッセージが表示される。この吹き出し画像２２６ｂが設けられるのは、原稿サイズ設定領域２２６ないし入力用アイコン２２６ａを目立ちやすくするためである。
【０１３６】
さらに、原稿サイズ設定領域２２６は、コピー倍率設定領域２２４とは異なる適当な色彩が付される。たとえば、コピー倍率設定領域２２４に白色および黒色以外の色彩だけが付されている場合には、原稿サイズ設定領域２２６は、赤色または青色等の白色および黒色以外の色が付される。このようにするのは、原稿サイズ設定領域２２６を目立ちやすくするためである。
【０１３７】
以下、フロー図を用いて、第４実施例における案内処理について説明するが、第１実施例で説明した案内処理と同じ処理については同じ参照符号を付し、重複した内容については、説明を省略するまたは簡単に説明することにする。
【０１３８】
図１９は第４実施例の案内処理の一例を示すフロー図である。図１９に示すように、案内処理が開始されると、ＣＰＵ１２は、ステップＳ７で“ＹＥＳ”であれば、ステップＳ９１に進む。また、ステップＳ９で“ＹＥＳ”であれば、ステップＳ９１に進む。
【０１３９】
ステップＳ９１では、プレスキャンを実行して、ステップＳ９３で、原稿情報を取得する。ここでは、原稿情報として、原稿が定形サイズの原稿であるか不定形サイズの原稿であるかについての原稿のサイズ情報を取得する。
【０１４０】
続いて、ステップＳ９５で、原稿のサイズ情報に従って原稿が不定形サイズの原稿であるかどうかを判断する。ステップＳ９５で“ＹＥＳ”であれば、つまり、不定形サイズの原稿であると判断した場合は、ステップＳ９７で、不定形モードを設定して、ステップＳ１１に進む。一方、ステップＳ９５で“ＮＯ”であれば、つまり、不定形サイズの原稿でないと判断した場合（原稿が定形サイズの原稿であると判断した場合）は、ステップＳ９９で、定形モードを設定して、ステップＳ１１に進む。
【０１４１】
なお、ステップＳ９までの処理およびステップＳ１１以降の処理の内容については、第１実施例と同じであるので説明を省略する。
【０１４２】
次に、ジョブ設定処理について説明する。図２０は第４実施例のジョブ設定処理の一例を示すフロー図である。図２０に示すように、ＣＰＵ１２は、ジョブ設定処理を開始すると、ステップＳ１１１で、不定形モードが設定されているかどうかを判断する。ステップＳ１１１で“ＹＥＳ”であれば、つまり、不定形モードが設定されていると判断した場合は、ステップＳ１１３で、不定形モード用の設定画面をディスプレイ２２に表示して、ステップＳ７７に進む。ステップＳ１１３では、たとえば上述した不定形モード用設定画面２２０等がディスプレイ２２に表示される。
【０１４３】
一方、ステップＳ１１１で“ＮＯ”であれば、つまり、不定形モードが設定されていないと判断した場合（定形モードが設定されていると判断した場合）は、ステップＳ１１５で、定形モード用の設定画面をディスプレイ２２に表示して、ステップＳ１１７に進む。ステップＳ１１５では、たとえば上述した定形モード用設定画面２００等がディスプレイ２２に表示される。
【０１４４】
続いて、ステップＳ１１７で、ジョブの設定が終了したかどうかを判断する。ステップＳ１１７で“ＮＯ”であれば、つまり、ジョブの設定が終了していないと判断した場合は、同じステップＳ１１７に戻る。一方、ステップＳ１１７で“ＹＥＳ”であれば、つまり、ジョブの設定が終了したと判断した場合は、ステップＳ１１９で、ジョブを実行して、ジョブ設定処理を終了する。
【０１４５】
この第４実施例によれば、プレスキャンによって取得されたサイズ情報に従って、原稿が不定形サイズの原稿である場合には、原稿サイズの設定を行う原稿サイズ設定領域２２６が目立つように配置ないし表示された不定形モード用設定画面２２０が表示されるので、原稿サイズの設定を変更し易くなり、便利である。
【０１４６】
なお、第４実施例に示した態様は、第２実施例および第３実施例にも組み合わせて採用することが可能である。
【０１４７】
また、上述の実施例で挙げた数値、画面および具体的な構成等は一例であり、実際の製品に応じて適宜変更することが可能である。
【０１４８】
さらに、上述の実施例で示したフロー図の各ステップは、同じ結果が得られるのであれば、処理される順番は適宜変更することが可能である。
【符号の説明】
【０１４９】
１０  …画像形成装置
１２  …ＣＰＵ
１４  …ＲＡＭ
２０  …タッチパネル
２２  …ディスプレイ
３０  …画像読取部
３２  …画像形成部
１００…第１ホーム画面
１２０…案内画面
【図１】
2019087788.tif 000003
【図２】
2019087788.tif 000004
【図３】
2019087788.tif 000005
【図４】
2019087788.tif 000006
【図５】
2019087788.tif 000007
【図６】
2019087788.tif 000008
【図７】
2019087788.tif 000009
【図８】
2019087788.tif 000010
【図９】
2019087788.tif 000011
【図１０】
2019087788.tif 000012
【図１１】
2019087788.tif 000013
【図１２】
2019087788.tif 000014
【図１３】
2019087788.tif 000015
【図１４】
2019087788.tif 000016
【図１５】
2019087788.tif 000017
【図１６】
2019087788.tif 000018
【図１７】
2019087788.tif 000019
【図１８】
2019087788.tif 000020
【図１９】
2019087788.tif 000021
【図２０】
2019087788.tif 000022